(57)【要約】      （修正有）【課題】水稲布マルチ直播栽培において重要なポイントとなる、マルチ布と一体となった発芽苗を水田地面に対して確実に着土させるための農具を提供する。【解決手段】マルチ布と一体となった発芽苗を確実に水田地面に着土させるために、発芽苗に対して損傷を与えないような適度な重量と独特な凹凸のある表面構造を持った軽貨物用自動車の鋼製ホイールを装着した冬用タイヤ１を用い、発芽苗に対してタイヤ１を転圧することによって、マルチ布と発芽苗を水田地面に対して圧着させるものである。さらに、発生したガスによる膨らみに対しても、あえてタイヤ１間を離れた構造としているためにガスをタイヤ１とタイヤ１の間(条間)に押し出すことになるため、マルチ布を切開することなくマルチ布の抑草効果を維持したまま苗踏みが可能となるのである。【選択図】図２
0003146109.tif 000002
【実用新案登録請求の範囲】
【請求項１】
水稲布マルチ直播栽培において、栽培の重要ポイントである発芽した苗を水田地面に着土させるために、苗を上面から苗踏み機に装着されたタイヤによって転厚、強制着土させるための苗踏み機であって、鋼製の円形車軸にその車軸に合致するさや管をタイヤの鋼製ホイールの中心に溶接し、鋼製ホイールには２本のゴム製タイヤが取り付けられ、車軸にはボルトによって柄が取り付けられたことを特徴とする水稲布マルチ直播栽培用の苗踏み機。
【請求項２】
鋼製ホイールに溶接された鋼製のサヤ管を鋼製車軸に自由に抜き差し可能であることを特徴とする請求項１記載の水稲布マルチ直播栽培用の苗踏み機。
【請求項３】
２本のタイヤの間隔を２５センチとしたことを特徴とする請求項１記載の水稲布マルチ直播栽培用の苗踏み機。    
【請求項４】
鋼製ホイールに溶接されたサヤ管を交換することによって、タイヤを１本から３本まで変更できることを特徴とする請求項２記載の水稲布マルチ直播栽培用の苗踏み機。    
【請求項５】
ゴム製タイヤに、冬用の自動車用タイヤ（通称スタッドレスタイヤ）を使用したことを特徴とする請求項１から４いずれか１項に記載の水稲布マルチ直播栽培用の苗踏み機。  
【考案の詳細な説明】
【技術分野】
【０００１】
本考案は、水稲布マルチ直播栽培における水稲苗及びマルチ布を水田地面に圧着させるための苗踏み機に関するものである。
【背景技術】
【０００２】
水稲布マルチ直播栽培とは二重にした不織綿（以下マルチ布と言う。）の間に水稲の種子をはさみ込み、そのマルチ布を水田に敷き詰め、マルチ布の下から水を引き入れ一定期間マルチ布を水田に浮かせ綿に挟み込まれた水稲の種子の発芽を待つ。発芽した苗は種子の胚芽の栄養によって三番目の葉が出るまでは成長出来るが、それ以降は土から栄養を吸収しなければならない。よって発芽した苗が第三葉まで成長した時点で、水田の水を抜き、浮いていたマルチ布を水田地面に着土させるのである。マルチ布が浮いている間に、水田地面からは雑草が発生し始めるが、マルチ布による遮光のためにあまり成長できない。
【０００３】
また水田の水を抜きさるとマルチ布が発生し始めた雑草にたいして重石となる状態になるため、雑草は成長できなくなってしまう。このマルチ布は敷設後約５０日で土壌の微生物の作用によって分解、つまり腐食してしまうが、これと同時に生えた雑草も腐食してしまうのである。この農法の最大特徴はこのマルチ布の物理的作用によって除草剤等の農薬を使わずに水田の雑草を除去できる点にある。もう一つの特徴として稲の慣行栽培のように苗を作成する時間や田植え機が不要、前述のとおり雑草もほとんど発生しないため除草に要する手間も省けるなど、非常に省力化できる点である。
【０００４】
十分に苗の根が土中に進入していることが確認できたら今度はマルチ布の上から水を引き入れて一般的な稲作の水管理を行って栽培を行う。
以上が水稲布マルチ直播栽培の概要であるがこの農法の重要なポイント一つがマルチ布を水田地面に着土させるときにある。着土したときからから苗は土から栄養を吸収し成長を始める。しかしこのままの状態では極端な言い方をすれば、宙に浮いていた苗が地面に落ちただけなので、根が土から浮いた状態になる可能性があり、やがて稲が生長し穂を実らせ稲の上部が重くなると稲が倒伏してしまう危険がある。よって出来る限り苗の根を水田地面に圧着させる必要がある。
【０００５】
また、着土が確認されて水をマルチ布の上から引き入れてある程度の水深を保とうとすると、マルチ布自体が再度水に浮いてしまい苗もそれとともに引き上げられ根が浮いてしまって、成長できずに枯れてしまう場合もあり、この場合米の収量に影響を与えることとなるためマルチ布全体を水田地面に圧着させる必要がある。
【０００６】
この農法を今まで体験した方々は、マルチ布を着土させた時点で苗を直接足で踏んだり、足に丸い板状のカンジキをくくりつけて踏んでいた。しかし、このやり方で水田の中を自ら苗踏みをして歩いたのでは、非常に時間もかかり能率の悪い作業となる。また、マルチ布の気泡による膨らみに対しても、膨らみをナイフ等で切開し中のガスを排出することを行うが、これをすると後にマルチ布の切開個所から光が差し込み、その部分から雑草が発生することがある。
苗床において苗を定着させる方法として、特開２００８−２９２２７にてローラーを用いた方法が記載されているが、本考案の課題とは異なるものである。
【特許文献１】特開２００８−２９２２７
【考案の開示】
【考案が解決しようとする課題】
【０００７】
解決しようとする課題は、水稲布マルチ直播栽培において重要なポイントとなるマルチ布の水田地面への確実な着土を促すための農具を提供し、苗踏み作業の効率化・省力化を実現させる事にある。また、マルチ布が水に浮いている期間に水田の土壌中の有機物が発酵しガスが発生して、マルチ布の下面にガスが溜まり、マルチ布が膨らむ状況を作る場合がある。この膨らみは水田の水を抜いてマルチ布を水田地面に落としてもマルチ布がある程度乾燥するまで消滅しないため、この膨らみを防止する苗踏みを提供することにある。
【課題を解決するための手段】
【０００８】
本考案は、水稲布マルチ直播栽培において重要なポイントとなる発芽苗を確実に水田地面に着土させるために、発芽苗に対して損傷を与えないような適度な重量を持った軽貨物用自動車の鋼製ホイールを装着したゴム製タイヤを用い、発芽苗に対してタイヤを転圧することによって、マルチ布と発芽苗を水田地面に対して圧着させるものである。
【考案の効果】
【０００９】
本考案の苗踏み機は、鋼製ホイールの適度な重量と冬用タイヤの凹凸による接地圧によって、水稲布マルチ直播栽培の着土後のマルチ布を水田地面に十分に圧着出来る。さらに車軸の構造によって苗踏み機が少ない力で回転するので省力化と作業時間の短縮を可能とした。
【００１０】
水田から発生したガスによるマルチ布の膨らみに対しても、苗踏み機の構造がタイヤとタイヤの間が離れていることによって、苗踏み機で苗を踏んでいくと発生したガスが、丁度苗と苗の間（２条の間）に押し出される状況を作る。これによってマルチ布を切開することなく苗ふみが可能となる。よりマルチ布の乾燥が進むと、ガスによる膨らみが小さくなっていくので、その時点で条間を仕上げとして苗踏み機で踏んでいくと、マルチ布全体が水田地面に圧着することを可能とする。
【考案を実施するための最良の形態】
【００１１】
本考案の  構成について、実施例を基に図面を引用して説明する。
【実施例１】
【００１２】
本考案の実施に際しては発芽苗に対して損傷を与えない範囲で、なおかつある程度の重量を持った転圧機によって苗を踏まなければ、水田地面に対しての苗の圧着が期待できない。そこで身の回りにある物で最良と考えられる軽貨物用自動車の鋼製ホイールを装着した冬用タイヤ使用することとした。冬用タイヤを使用するのは、タイヤの表面の凹凸が夏用タイヤよりも大きく、単位面積当りの接地圧力向上が期待できる点にある。
【００１３】
図４に示したように、冬用タイヤ１に装着された鋼製ホイール６に車軸取り付け用サヤ管７を鋼製ホイール６の中心部に溶接する。さらに車軸取り付け用サヤ管７の固定化を図るためにサヤ管支持用鉄筋８を鋼製ホイール６及び車軸取り付け用サヤ管７に対して溶接する。次に車軸取り付け用サヤ管７の内径に合致するような車軸パイプ３の両端に苗踏み機の柄２を取り付けるための柄取り付けボルト５を溶接する。次に車軸取り付け用サヤ管７を取り付けたタイヤのタイヤ中心線間隔が、苗踏み作業に適した間隔２５センチになるようにスペーサー用サヤ管４を製作する。各パーツが完成したら車軸パイプ３及び車軸取り付け用サヤ管の内部に回転の円滑化と摩擦の低減のために潤滑油を塗布する。このようにして出来上がった各部材を作業に合った形に組み立てていく。
【００１４】
苗踏み作業には車軸パイプ３にタイヤを２本装着し、タイヤの中心線間隔が２５センチになるように製作したスペーサー用サヤ管４を装着し、車軸パイプに苗踏み機柄２をボルト締めして完成させる。これで本案の課題に対して成果を挙げることが出来る。
【実施例２】
【００１５】
ある程度マルチ布９の乾燥が進み、マルチ布９上の気泡が縮小した時点でタイヤを３本装着しマルチ布全体を転圧すれば、よりマルチ布が水田地面に圧着するものである。
【実施例３】
【００１６】
苗踏み機のタイヤを１本とし、苗踏み機として以外にマルチ布の圧着に使用可能である。水稲布マルチ直播栽培に使用されるマルチ布は、工場で生産されており幅が１.１メートル、長さが１００メートルでそれがロールされて配送される。水田でこれを敷き詰めていくが、この際幅１.１メートルのうち１０センチを重ね合わせていく、マルチ布は風に対してめくれてしまうため一次仮押さえを行い、早急に布に水を浸透させ、布自体の重量を増すことで風に対抗する必要がある。この際いち早く重ね合わせた１０センチの部分に水を浸透させる必要がある。このためには水田に広げたマルチ布の下に水を引き入れ、マルチ布の重ね合わせた部分を、タイヤを１本とした苗踏み機で転圧することで、マルチ布の下に存在する水をマルチ布に効率よく浸透することが可能となるのである。
【００１７】
図６は、本考案装置の１実施例の平面図であって、苗を踏む状況の平面図である。
【００１８】
図７は、本考案装置の1実施例の断面図であって、苗を踏む状況の断面図である。
【００１９】
図５は、本考案装置によるマルチ布の重ね代への水の浸透を促すための状況の断面図である。
【図面の簡単な説明】
【００２０】
【図１】本考案の苗踏み機の側面図
【図２】本考案の苗踏み機の平面図
【図３】本考案の苗踏み機の正面図
【図４】本考案の苗踏み機の車軸部分の詳細図
【図５】マルチ布の重ね代に水を浸透させる場合の苗踏み機の使用図
【図６】苗踏み機を苗踏みとして使用する場合の平面図
【図７】苗踏み機を苗踏みとして使用する場合の断面図
【符号の説明】
【００２１】
1、タイヤ
2、苗踏み機柄
3、車軸パイプ
4、スペーサー用サヤ管
5、柄取付けボルト
6、鋼製ホイール
7、車軸取り付けサヤ管
8、サヤ管支持用鉄筋
9、マルチ布
10、発芽苗
11、マルチ布重ね代
【図１】
0003146109.tif 000003
【図２】
0003146109.tif 000004
【図３】
0003146109.tif 000005
【図４】
0003146109.tif 000006
【図５】
0003146109.tif 000007
【図６】
0003146109.tif 000008
【図７】
0003146109.tif 000009
【手続補正書】
【提出日】平成20年9月2日(2008.9.2)
【手続補正１】
【補正対象書類名】実用新案登録請求の範囲
【補正対象項目名】請求項５
【補正方法】変更
【補正の内容】
【請求項５】
ゴム製タイヤに、冬用の自動車用タイヤを使用したことを特徴とする請求項１から４いずれか１項に記載の水稲布マルチ直播栽培用の苗踏み機。